(57)【要約】  パネルユニット４のディスプレイ７を設けた面側に音声送信部８を配置して、ディスプレイ７の面に略垂直な方向へ音声信号を送信する。前席シート１の後席に座った視聴者は、ディスプレイ７を自分の方向に向けることにより、音声送信部８が視聴者の視線正面に向くため、視聴者の頭部に装着したヘッドホン側で安定した音声信号を受信することができる。
2014027404.tif 000002
【特許請求の範囲】
【請求項１】
リクライニング可能な座席の後面側から当該座席後方の視聴者に向けて音声信号を無線送信するパネル装置であって、
前記座席の後面に設置された本体ユニットと、
前記本体ユニットに固定されたヒンジ機構と、
前記ヒンジ機構により前記本体ユニットに対して回動可能に連結され、前記座席の後方にディスプレイ面を向けるパネルユニットと、
前記パネルユニットの前記ディスプレイ面側に配置され、前記ディスプレイ面に略垂直な方向へ音声信号を無線送信する音声送信部とを備えたことを特徴とするパネル装置。
【請求項２】
前記音声送信部は、前記パネルユニットの前記ディスプレイ面側、かつ、前記ヒンジ機構の回転軸線上に配置されたことを特徴とする請求項１記載のパネル装置。
【請求項３】
前記音声送信部の回路基板は、前記パネルユニットの回路基板に一体化されたことを特徴とする請求項１記載のパネル装置。
【請求項４】
パネル装置はさらにヘッドホンを備え、
前記ヘッドホンは、
前記音声送信部の無線送信する音声信号を受信する音声受信部と、
前記音声受信部で受信した音声信号に関する信号を無線送信する送信部とを有し、
前記パネルユニットは、
前記送信部の無線送信する音声信号に関する信号を受信する受信部と、
前記受信部で受信した音声信号に関する信号を可視化する出力部とを有することを特徴とする請求項１記載のパネル装置。
【請求項５】
前記パネルユニットを電動で開閉させる電動開閉機構と、
前記電動開閉機構を駆動する開閉制御部と、
前記開閉制御部を介して前記電動開閉機構を駆動させ、前記パネルユニットの角度を、前記受信部で受信する音声信号に関する信号が所定レベルになる角度に調整する制御部とを備えたことを特徴とする請求項４記載のパネル装置。
【発明の詳細な説明】
【技術分野】
【０００１】
この発明は、リクライニング可能な座席の後面に設置され、ディスプレイを有するパネルユニットが開閉するパネル装置に関する。
【背景技術】
【０００２】
車内で、後部座席の搭乗者が映像および音楽を楽しむことができるように、天井に設置され後部座席に向けられたディスプレイと、ディスプレイ側から無線送信された音声信号を受信して音声を出力する後部座席搭乗者用のヘッドホンとを備えた、車載データ再生システムが知られている（例えば、特許文献１参照）。【０００３】
また、運転者の後方視界の妨げにならないように、前席シートの後面にディスプレイを設置したものがある。この一例を図１１および図１２に示す。図１１に示すように、前席シート１の後面に設置された本体ユニット２に、ディスプレイ７を閉じた状態でパネルユニット４が収納されている。このパネルユニット４は、一対のヒンジ機構３により本体ユニット２に対して開閉可能に連結されており、後部座席の視聴者５０は、パネルオープンスイッチ５を押し込んでパネルユニット４とラッチ６の係合を解除し、図１２に示すように、ディスプレイ７が自分の見やすい角度になるまでパネルユニット４を手動で回動させる。また、本体ユニット２の縁部に設置された音声送信部８から赤外線で音声信号を送信し、音声受信部９で受信した赤外線の音声信号をヘッドホン１０が音声として出力する。【０００４】
この構成の場合、本体ユニット２の表面意匠側に音声送信部８が設けられていたため、視聴者５０である大人と子供とで頭部の位置（即ち、ヘッドホン１０の位置）が変わると、音声送信部８の送信素子１１ａ〜１１ｃの指向角および音声受信部９の受信素子（不図示）の指向角の制約により、確実に赤外線を受信することが難しいという問題があった。本問題を解決するために、従来は、図１２に示すように複数個の送信素子１１ａ〜１１ｃを互いの角度を変えて専用基板１２に実装し、赤外線の送信範囲を広げていた。そのため、送信素子の個数が増え、組み立て性が悪いものになっていた。さらに、前席シート１はリクライニング可能なものが多く、その場合には視聴者５０の頭部の位置の違いだけでなく、リクライニングの倒れ角度にも対応するように、送信素子１１ａ〜１１ｃを角度違いに実装する必要があった。【０００５】
ここで、図１３に大人の視聴者５０と送信素子１１ａ〜１１ｃの指向角１１ａ’〜１１ｃ’との対応関係、図１４に子供の視聴者５０と送信素子１１ａ〜１１ｃの指向角１１ａ’〜１１ｃ’との対応関係を示す。図１３および図１４において、音声送信部８の送信素子１１ａは指向角１１ａ’の範囲に、送信素子１１ｂは指向角１１ｂ’の範囲に、送信素子１１ｃは指向角１１ｃ’の範囲に、赤外線を送信可能である。【０００６】
ヘッドホン１０の位置が高い大人の視聴者５０では、前席シート１が図１３（ａ）に示す倒れ角度の場合、音声受信部９は主に送信素子１１ｂ（指向角１１ｂ’）の音声信号を受信するが、前席シート１を後方へ約２０度倒して図１３（ｂ）の倒れ角度にした場合、音声受信部９は主に送信素子１１ａ（指向角１１ａ’）の音声信号を受信することになる。他方、ヘッドホン１０の位置が低い子供の視聴者５０では、前席シート１が図１４（ａ）に示す倒れ角度の場合、音声受信部９は主に送信素子１１ｂ，１１ｃ（指向角１１ｂ’，１１ｃ’）の音声信号を受信し、前席シート１を後方へ約２０度倒して図１４（ｂ）の倒れ角度にした場合には、音声受信部９は主に送信素子１１ａ（指向角１１ａ’）の音声信号を受信することになる。このように、複数個の送信素子１１ａ〜１１ｃをそれぞれ適切な角度で実装しなければ、ヘッドホン１０の位置およびリクライニングの倒れ角度によっては、十分な音声信号が届かないことがあった。【０００７】
また、図１２において、本体ユニット２の表面意匠側には、パネルユニット４を収納する凹部２ａがあるため、本体ユニット２の回路基板（図示せず）は凹部２ａの裏側に設けてある。一方、音声送信部８は本体ユニット２の意匠側に設ける必要があるため、本体ユニット２の回路基板とは別に音声送信部８の専用基板１２を設け、リード線１３等で両基板を接続する必要があった。【０００８】
他方、特許文献２に記載された自動車用視聴覚システムにおいては、赤外線ビームを送信する赤外線ラジエータ（音声送信部８に相当する）を、運転者の肘にあるコンソールボックスまたは自動車の天井に設けられたオーバヘッドコンソールなどに固定している。そのため、例えば座席をスライドする、リクライニングするなどの変化により、座席が妨げとなって、赤外線ラジエータから視聴者の装着しているヘッドホンへ十分な音声信号が届かないことがあった。
【先行技術文献】
【特許文献】
【０００９】
【特許文献１】特開２００７−３３６３２７号公報
【特許文献２】特開２００６−１５９３６号公報
【発明の概要】
【発明が解決しようとする課題】
【００１０】
従来のパネル装置は以上のように構成されているので、視聴者の装着するヘッドホンの位置およびリクライニング可能な座席の倒れ角度によっては、ヘッドホン側で安定した音声信号を受信できないという課題があった。【００１１】
この発明は、上記のような課題を解決するためになされたもので、視聴者の装着するヘッドホンの位置およびリクライニング可能な座席の倒れ角度によらず、ヘッドホン側で安定した音声信号を受信できるパネル装置を提供することを目的とする。
【課題を解決するための手段】
【００１２】
この発明のパネル装置は、座席の後面に設置された本体ユニットと、本体ユニットに固定されたヒンジ機構と、ヒンジ機構により本体ユニットに対して回動可能に連結され、座席の後方にディスプレイ面を向けるパネルユニットと、パネルユニットのディスプレイ面側に配置され、ディスプレイ面に略垂直な方向へ音声信号を無線送信する音声送信部とを備えたものである。
【発明の効果】
【００１３】
この発明によれば、パネルユニットのディスプレイ面側に音声送信部を配置して、ディスプレイ面に略垂直な方向へ音声信号を送信することにより、本体ユニットが設けられた座席をリクライニングした場合においても、この座席の後ろに搭乗した視聴者がディスプレイを自分の方向に向けることにより音声送信部が常に視聴者の視線正面に向くため、ヘッドホン側で安定した音声信号を受信することができる。
【図面の簡単な説明】
【００１４】
【図１】この発明の実施の形態１に係るパネル装置の構成を示し、パネルユニットが開いて視聴状態となった斜視図である。
【図２】実施の形態１に係るパネル装置が設置された前席シートと後部座席に搭乗している視聴者との位置関係を示す斜視図である。
【図３】実施の形態１に係るパネル装置のパネルユニットの内部構造を示す斜視図である。
【図４】実施の形態１に係るパネル装置の構成を示すブロック図である。
【図５】実施の形態１に係るパネル装置において、視聴者と送信素子の指向角との対応関係を示す図である。
【図６】実施の形態１に係るパネル装置において、大人の視聴者と送信素子の指向角との対応関係を示す図である。
【図７】実施の形態１に係るパネル装置において、子供の視聴者と送信素子の指向角との対応関係を示す図である。
【図８】実施の形態１に係るパネル装置において、パネルユニットの角度と音声信号の受信レベルとの関係を示すグラフである。
【図９】受信レベルを表すアンテナマークの表示例を示す図である。
【図１０】この発明の実施の形態２に係るパネル装置の構成を示すブロック図である。
【図１１】従来の車載データ再生システムが設置された前席シートと後部座席に登場している視聴者との位置関係を示す斜視図である。
【図１２】図１１に示す従来の車載データ再生システムにおいて、パネルユニットが開いて視聴状態となった斜視図である。
【図１３】図１１に示す従来の車載データ再生システムにおいて、大人の視聴者と送信素子の指向角との対応関係を示す図である。
【図１４】図１１に示す従来の車載データ再生システムにおいて、子供の視聴者と送信素子の指向角との対応関係を示す図である。
【発明を実施するための形態】
【００１５】
以下、この発明をより詳細に説明するために、この発明を実施するための形態について、添付の図面に従って説明する。
実施の形態１．
図１は、本実施の形態１に係るパネル装置１００の構成を示し、パネルユニット４が開いて視聴状態となった斜視図である。図２は、パネル装置１００が設置された前席シート１と後部座席に搭乗している視聴者５０との位置関係を示す斜視図である。図３はパネルユニット４の意匠面を取り除き、パネルユニット４の内部構造を説明する斜視図である。図４はパネル装置１００の構成を示すブロック図である。なお、図１〜図４において、先立って説明した図１１〜図１４と同一または相当の部分については同一の符号を付す。
【００１６】
自動車の運転席および助手席など、リクライニング可能な前席シート１の後面にはパネル装置１００が設けられており、このパネル装置１００は、本体ユニット２と、本体ユニット２の上端部に固定された一対のヒンジ機構３と、一対のヒンジ機構３により本体ユニット２に対して回動可能に連結され、本体ユニット２の凹部２ａに収納された状態から回動してディスプレイ７を開いて視聴状態になるパネルユニット４とから構成されている。映像はパネルユニット４のディスプレイ７に表示される一方、音声は、運転者の気を紛らわさないように、後部座席の視聴者５０のために用意されたヘッドホン１０から出力される。
【００１７】
視聴者５０が映像を視聴する場合は、本体ユニット２の下部に設けられたパネルオープンスイッチ５を押し込んでパネルユニット４とラッチ６の係合を解除し、パネルユニット４を自分の見やすい角度まで手動で回動させる。
【００１８】
視聴者５０が手動で回動させることによりパネルユニット４が所定角度以上に回動すると、本体ユニット２に設けられたパネル角度検知スイッチ１４（図４に示す）がパネルユニット４に押されて作動し、角度検知を制御部１５へ通知する。この通知を受けた制御部１５は、映像再生装置２００から出力される映像信号をディスプレイ７に出力し、ディスプレイ７が映像を映し出す。同時に、制御部１５は、映像再生装置２００から出力される音声信号を音声送信部８に出力し、音声送信部８が音声信号を赤外線に変換してヘッドホン１０の音声受信部９へ無線送信する。
【００１９】
この音声送信部８は、図３に示すように、パネルユニット４のディスプレイ７が設けられた面側、かつ、ヒンジ機構３の回転軸線Ａ上近傍の回路基板１６上に実装された送信素子１１を備える。この送信素子１１は、本体ユニット２の制御部１５から入力された音声信号を赤外線に変換し、ディスプレイ７の面に略垂直な方向を中心とする所定の指向角の範囲へ赤外線を送信する。この赤外線は、ヘッドホン１０に設けられた音声受信部９により受信されてＤ／Ａ変換され、アンプ１７で増幅されてスピーカ１８から出力される。
【００２０】
音声送信部８を、パネルユニット４の回路基板１６上に設けたので、従来のように音声送信部８の専用基板を用意する必要がなくなり、部品点数を少なくでき、組み立て性が向上する。
【００２１】
ここで、図５に、視聴者５０と送信素子１１の指向角１１’との対応関係を示す。パネルユニット４が収納位置から角度θまで回動し、本体ユニット２のパネル角度検知スイッチ１４（不図示）がＯＮ状態になると、音声送信部８から赤外線の音声信号が送信される。
音声送信部８の送信素子１１はパネルユニット４と一体的に回動し、かつ、ディスプレイ７の面に略垂直な方向へ音声信号を送信するので、送信素子１１の指向角１１’は常にディスプレイ７の正面方向に向き、ディスプレイ７の正面方向へ音声信号が送信される。
【００２２】
図６は大人の視聴者５０と送信素子１１の指向角１１’との対応関係を示し、図７は子供の視聴者５０と送信素子１１の指向角１１’との対応関係を示す。このパネル装置１００においてはディスプレイ７の正面方向へ音声信号が送信されるので、視聴者５０が自分の見やすい角度にパネルユニット４を回動させ、ディスプレイ７を自分の視線正面に向ければ、パネルユニット４と一体的に音声送信部８の送信素子１１も回動して視聴者５０の正面に向き、赤外線が視聴者５０に向かって送信されることになる。よって、図６（ａ）に示すようなヘッドホン１０の位置が高い大人の視聴者５０でも、図７（ａ）に示すようなヘッドホン１０の位置が低い子供の視聴者５０でも、音声受信部９が送信素子１１の指向角１１’の範囲内に位置し、安定した音声信号を受信することができる。
【００２３】
また、図６（ｂ）および図７（ｂ）に示すように前席シート１を後方へ倒した（リクライニングした）場合においても、視聴者５０は再び手動で映像が見やすい角度にパネルユニット４を回動させ、ディスプレイ７を自分の視線正面に向けるので、赤外線も視聴者５０の顔方向に向かって送信されることになる。よって、音声受信部９が安定した音声信号を受信することができる。
【００２４】
このように、本実施の形態１では、パネルユニット４のディスプレイ７が設けられた面上に音声送信部８を配置するようにしたので、従来のように送信素子１１を複数個、角度を違えて設置する必要性がなく、組み立て性を向上することができる。
【００２５】
また、車両等の振動を受けてパネルユニット４の共振により揺れた場合でも、回転軸線Ａ上近傍は共振の影響が少ない。そのため、音声送信部８をこの回転軸線Ａ上近傍に配置することにより、送信素子１１の指向角１１’のぶれを少なくできる。よって、音声受信部９が安定した音声信号を受信することができる。
【００２６】
次に、安定した音声信号受信のために、視聴者５０がディスプレイ７の位置を適正な角度に調整する方法を説明する。
本実施の形態１に係るパネル装置１００において、ヘッドホン１０には、音声信号の受信レベルの強弱を判断するレベル判断部１９と、レベル判断部１９が判断したレベルをレベル信号としてパネルユニット４に送信するレベル送信部２０とを設ける。他方のパネルユニット４には、ヘッドホン１０のレベル送信部２０が送信するレベル信号を受信するレベル受信部２１と、レベル受信部２１が受信したレベル信号を視聴者５０に通知するレベル出力部２２とを設ける。レベル送信部２０とレベル受信部２１の間の通信は任意方式の無線で行う。
【００２７】
図８の例では、レベル判断部１９に予め、音声信号の受信レベルの強弱とレベル信号（例えばレベル０〜３の４段階）の対応関係が設定されている。また、図１の例ではレベル出力部２２として、４個のＬＥＤ（発光ダイオード）を使用する。
【００２８】
図８（ａ）は、パネルユニット４の角度と音声受信部９で受信する音声信号の受信レベルとの関係を示すグラフであり、縦軸は受信レベル、横軸はパネル角度検知スイッチ１４がＯＮ状態になる位置を基準にしたパネルユニット４の角度である。図８（ｂ）は、パネルユニット４の角度とレベル判断部１９で判断したレベル信号との関係を示すグラフであり、縦軸は受信レベルを０〜３の４段階で判断したレベル信号、横軸はパネル角度検知スイッチ１４がＯＮ状態になる位置を基準にしたパネルユニット４の角度である。
【００２９】
視聴者５０がパネルユニット４を回動させると、図５に示したようにパネルユニット４の回動と一体的に送信素子１１の指向角１１’が移動していき、ディスプレイ７が視聴者５０の視線正面に向く角度θのときに受信レベルが最強になる。このときの角度θをセンター角度（図８）と称す。よって、音声受信部９がパネルユニット４と一体に回動する送信素子１１の指向角１１’に入っている場合にレベル判断部１９において高いレベルが判定され、指向角１１’から外れている場合に低いレベルが判定される。レベル０〜３の４段階で受信レベルの強弱を判断する場合、レベル３が最も受信レベルが強く、安定して音声信号を受信できていることを表す。反対にレベル０が最も受信レベルが低く、安定して音声信号を受信できていない、即ち、ヘッドホン１０に対してパネルユニット４の角度が適切でないことを表す。
【００３０】
ヘッドホン１０において、レベル判断部１９が、音声受信部９で受信した音声信号の受信レベルの強弱を４段階で判断し、レベル信号としてレベル送信部２０へ出力する。レベル送信部２０はこのレベル信号をパネルユニット４のレベル受信部２１へ送信する。
パネルユニット４において、レベル受信部２１がレベル信号を受信する。レベル出力部２２は、レベル受信部２１で受信したレベル信号がレベル３なら４個のＬＥＤを全て点灯させ、レベル０なら１個のＬＥＤのみ点灯させる。このように、ヘッドホン１０における音声信号の受信状態が良好ならレベル出力部２２の点灯量を多くし、受信状態が不良ならレベル出力部２２の点灯量を少なくして、視聴者５０が視覚的にパネルユニット４の角度が適正か否か判断できるようにする。これにより、視聴者５０は、パネルユニット４を適正な角度に調整することができる。
【００３１】
なお、図１の例ではレベル出力部２２として複数個のＬＥＤを用い、レベル毎に点灯量を変えたが、これに限定されるものではない。例えば、レベル出力部２２として１つの表示灯を用いて、適正角度になると表示灯の点灯色が赤から青に変化するなどの構成にしてもよい。
また例えば、ディスプレイ７に受信レベルを表示する構成にしてもよい。この構成の場合には、レベル受信部２１からパネルユニット４の制御部１５へレベル信号を出力し、制御部１５がパネルユニット４のディスプレイ７にレベルが分かるマークを表示させる。レベルが分かるマークとしては、図９に示すアンテナマーク２３等が考えられる。
【００３２】
以上より、実施の形態１によれば、パネル装置１００は、リクライニング可能な前席シート１の後面に設置された本体ユニット２と、本体ユニット２に固定されたヒンジ機構３と、ヒンジ機構３により本体ユニット２に対して回動可能に連結され、本体ユニット２側にディスプレイ７の面を向けて収納された状態から回動してディスプレイ７を開くパネルユニット４と、パネルユニット４のディスプレイ７面側に配置され、ディスプレイ７面に略垂直な方向へ音声信号を無線送信する音声送信部８とを備えるように構成した。そのため、本体ユニット２が設けられた前席シート１をリクライニングした場合においても、この前席シート１の後に搭乗した視聴者５０がディスプレイ７を自分の方向に向けることにより、音声送信部８が常に視聴者５０の視線正面に向くため、ヘッドホン１０側で安定した音声信号を受信することができる。
【００３３】
また、実施の形態１によれば、音声送信部８を、パネルユニット４のディスプレイ７面側、かつ、ヒンジ機構３の回転軸線Ａ上近傍に配置する構成にした。そのため、前席シート１が振動してパネルユニット４が揺れた場合においても、音声送信部８の送信方向に及ぼす振動の影響が少なくてすむ。よって、ヘッドホン１０側で安定した音声信号を受信することができる。
【００３４】
また、実施の形態１によれば、音声送信部８の回路基板を、パネルユニット４の回路基板１６に一体化する構成にした。そのため、部品点数を少なくでき、組み立て性が向上する。
以上の構成では、パネル装置１００においてヘッドホン１０は必ずしも必要でない。
【００３５】
また、実施の形態１によれば、パネル装置１００はヘッドホン１０を備え、このヘッドホン１０は、音声送信部８の無線送信する音声信号を受信する音声受信部９と、音声受信部９で受信した音声信号の受信レベルを判断するレベル判断部１９と、レベル判断部１９で判断した受信レベルを無線送信するレベル送信部２０とを有し、パネルユニット４は、レベル送信部２０の無線送信する受信レベルを受信するレベル受信部２１と、レベル受信部２１で受信した受信レベルを可視化するレベル出力部２２とを有するように構成した。このため、パネルユニット４が適正な角度でなく、ヘッドホン１０において音声信号の受信レベルが弱い場合、レベル出力部２２により視聴者５０は視覚的にパネルユニット４が適正角度でないことが分かる。よって、視聴者５０は適正な角度にパネルユニット４を回動させ、ディスプレイ７の位置を調整することができる。その結果、ヘッドホン１０側で安定した音声信号を受信することができる。
なお、上記説明では、音声信号の受信レベルを、ヘッドホン１０とパネルユニット４との間で無線により送受信する構成を例示したが、受信レベルに限らず、音声信号に関する信号を送受信する構成であっても構わない。
【００３６】
実施の形態２．
上記実施の形態１では、視聴者５０が手動でパネルユニット４を回動させて最適な角度に調整する構成にしたが、本実施の形態２ではパネル装置１００が自動的にパネルユニット４を最適な角度に調整する構成とする。
図１０は、本発明の実施の形態２に係るパネル装置１００の構成を示すブロック図である。なお、図１０において図４と同一または相当の部分については同一の符号を付し説明を省略する。また、本実施の形態２に係るパネル装置１００の外観は、図１および図２に示したパネル装置１００と同様のため、図示を省略する。
【００３７】
本実施の形態２に係るパネル装置１００は、パネルユニット４を電動で開閉する電動開閉機構３１と、この電動開閉機構３１を制御する開閉制御部３２とを備える。また、本体ユニット２の制御部１５は、パネルユニット４のレベル受信部２１からレベル信号を受け付け、このレベル信号に基づいてパネルユニット４の角度を決定し、開閉制御部３２へ指示を出す。
【００３８】
視聴者５０が映像を視聴する場合、本体ユニット２の下部に設けられたパネルオープンスイッチ５を視聴者５０が押す。制御部１５は、パネルオープンスイッチ５が押されたことを検知して開閉制御部３２に指示を出し、開閉制御部３２が電動開閉機構３１を駆動してパネルユニット４を開方向に回動させる。
【００３９】
電動開閉機構３１が電動で回動させることによりパネルユニット４が所定角度以上に回動すると、本体ユニット２に設けられたパネル角度検知スイッチ１４がパネルユニット４に押されて作動し、角度検知を制御部１５へ通知する。この通知を受けた制御部１５は、映像再生装置２００から出力される映像信号をディスプレイ７に出力し、ディスプレイ７が映像を映し出す。同時に、制御部１５は、映像再生装置２００から出力される音声信号を音声送信部８に出力し、音声送信部８が音声信号を赤外線に変換してヘッドホン１０の音声受信部９へ無線送信する。
【００４０】
次に、図８を参照して、パネルユニット４の角度調整を自動的に行う方法を説明する。
パネルユニット４のレベル受信部２１は、ヘッドホン１０のレベル送信部２０から受信したレベル信号（例えば、図８に示したレベル０〜３の４段階）を制御部１５へ出力し、制御部１５は開閉制御部３２を介して電動開閉機構３１を駆動させ、パネルユニット４の角度を、レベル信号が最高状態のレベル３になる角度θ（最適角度）に調整する。
具体的には、制御部１５は、レベル信号のレベルが最高状態のレベル３からレベル２へ一段下がるまで、パネルユニット４を開方向に回動させる制御を行う。続いて、制御部１５はレベル２からレベル３へ一段上がったときの角度θと、レベル３からレベル２へ一段下がったときの角度θからセンター角度を求め、求めたセンター角度になるまでパネルユニット４を戻すように、開閉制御部３２を介して電動開閉機構３１を駆動させる。
【００４１】
これにより、ディスプレイ７の正面とヘッドホン１０（視聴者５０の頭部位置）は常に最適な角度に自動的に合わせることができ、また、前席シート１がリクライニングされても自動的にパネルユニット４を最適な角度に調整するため、手動によるわずらわしい角度調整が不要となる。
【００４２】
以上より、実施の形態２によれば、パネル装置１００は、パネルユニット４を電動で開閉させる電動開閉機構３１と、電動開閉機構３１を駆動する開閉制御部３２と、開閉制御部３２を介して電動開閉機構３１を駆動させ、パネルユニット４の角度を、レベル受信部２１で受信する受信レベルが所定レベルになる角度に調整する制御部１５とを備えるように構成した。このため、ヘッドホン１０側から送信されるレベル信号に基づいて、自動でパネルユニット４を最適な角度に回動することができるようになり、ディスプレイ７の正面とヘッドホン１０（即ち、視聴者５０の頭部の位置）とは常に最適な角度に合わせることができる。その結果、ヘッドホン１０側で安定した音声信号を受信することができる。
【００４３】
なお、上記実施の形態１，２では、パネルユニット４が本体ユニット２側にディスプレイ７を向けて収納された状態から回動してディスプレイ７を開き、前席シート１の後方にディスプレイ７を向けるように構成したが、これに限定されるものではなく、例えばディスプレイ７が前席シート１の後方を向いた状態のパネルユニット４が、本体ユニット２に対して回動可能に連結された構成であってもよい。この構成の場合にも、パネルユニット４の角度を調整して、ディスプレイ７を視聴者５０の視線正面に向けることにより、ヘッドホン１０側で安定した音声信号を受信することができる。
【００４４】
また、上記説明ではディスプレイ７に略垂直な方向へ音声信号を無線送信する音声送信部８を構成したが、ディスプレイ７が視聴者５０の正面位置にあるときに音声送信部８からの音声信号が最適な方向に送信できる位置関係とすることが望ましく、音声送信部８を配置したヒンジ機構３（またはパネルユニット４上の任意位置に配置した音声送信部８）がディスプレイ７よりも下にある場合は、音声信号を多少の上向きに送信してもよい。
【００４５】
上記以外にも、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００４６】
以上のように、この発明に係るパネル装置は、リクライニング可能な座席の後面から送信される音声信号を、ヘッドホン側で安定して受信するようにしたので、自動車、鉄道、船舶、航空機等を含む移動体の座席に設置するパネル装置などに用いるのに適している。
【符号の説明】
【００４７】
１  前席シート、２  本体ユニット、２ａ  凹部、３  ヒンジ機構、４  パネルユニット、５  パネルオープンスイッチ、６  ラッチ、７  ディスプレイ、８  音声送信部、９  音声受信部、１０  ヘッドホン、１１，１１ａ〜１１ｃ  送信素子、１１’，１１ａ’〜１１ｃ’  指向角、１２  専用基板、１３  リード線、１４  パネル角度検知スイッチ、１５  制御部、１６  回路基板、１７  アンプ、１８  スピーカ、１９  レベル判断部、２０  レベル送信部（送信部）、２１  レベル受信部（受信部）、２２  レベル出力部（出力部）、２３  アンテナマーク、３１  電動開閉機構、３２  開閉制御部、５０  視聴者、１００  パネル装置、２００  映像再生装置。
【図１】
2014027404.tif 000003
【図２】
2014027404.tif 000004
【図３】
2014027404.tif 000005
【図４】
2014027404.tif 000006
【図５】
2014027404.tif 000007
【図６】
2014027404.tif 000008
【図７】
2014027404.tif 000009
【図８】
2014027404.tif 000010
【図９】
2014027404.tif 000011
【図１０】
2014027404.tif 000012
【図１１】
2014027404.tif 000013
【図１２】
2014027404.tif 000014
【図１３】
2014027404.tif 000015
【図１４】
2014027404.tif 000016
【手続補正書】
【提出日】平成26年8月13日(2014.8.13)
【手続補正１】
【補正対象書類名】明細書
【補正対象項目名】全文
【補正方法】変更
【補正の内容】
【発明の詳細な説明】
【技術分野】
【０００１】
この発明は、リクライニング可能な座席の後面に設置され、ディスプレイを有するパネルユニットが開閉するパネル装置に関する。
【背景技術】
【０００２】
車内で、後部座席の搭乗者が映像および音楽を楽しむことができるように、天井に設置され後部座席に向けられたディスプレイと、ディスプレイ側から無線送信された音声信号を受信して音声を出力する後部座席搭乗者用のヘッドホンとを備えた、車載データ再生システムが知られている（例えば、特許文献１参照）。
【０００３】
また、運転者の後方視界の妨げにならないように、前席シートの後面にディスプレイを設置したものがある。この一例を図１１および図１２に示す。図１１に示すように、前席シート１の後面に設置された本体ユニット２に、ディスプレイ７を閉じた状態でパネルユニット４が収納されている。このパネルユニット４は、一対のヒンジ機構３により本体ユニット２に対して開閉可能に連結されており、後部座席の視聴者５０は、パネルオープンスイッチ５を押し込んでパネルユニット４とラッチ６の係合を解除し、図１２に示すように、ディスプレイ７が自分の見やすい角度になるまでパネルユニット４を手動で回動させる。また、本体ユニット２の縁部に設置された音声送信部８から赤外線で音声信号を送信し、音声受信部９で受信した赤外線の音声信号をヘッドホン１０が音声として出力する。
【０００４】
この構成の場合、本体ユニット２の表面意匠側に音声送信部８が設けられていたため、視聴者５０である大人と子供とで頭部の位置（即ち、ヘッドホン１０の位置）が変わると、音声送信部８の送信素子１１ａ〜１１ｃの指向角および音声受信部９の受信素子（不図示）の指向角の制約により、確実に赤外線を受信することが難しいという問題があった。本問題を解決するために、従来は、図１２に示すように複数個の送信素子１１ａ〜１１ｃを互いの角度を変えて専用基板１２に実装し、赤外線の送信範囲を広げていた。そのため、送信素子の個数が増え、組み立て性が悪いものになっていた。さらに、前席シート１はリクライニング可能なものが多く、その場合には視聴者５０の頭部の位置の違いだけでなく、リクライニングの倒れ角度にも対応するように、送信素子１１ａ〜１１ｃを角度違いに実装する必要があった。
【０００５】
ここで、図１３に大人の視聴者５０と送信素子１１ａ〜１１ｃの指向角１１ａ’〜１１ｃ’との対応関係、図１４に子供の視聴者５０と送信素子１１ａ〜１１ｃの指向角１１ａ’〜１１ｃ’との対応関係を示す。図１３および図１４において、音声送信部８の送信素子１１ａは指向角１１ａ’の範囲に、送信素子１１ｂは指向角１１ｂ’の範囲に、送信素子１１ｃは指向角１１ｃ’の範囲に、赤外線を送信可能である。
【０００６】
ヘッドホン１０の位置が高い大人の視聴者５０では、前席シート１が図１３（ａ）に示す倒れ角度の場合、音声受信部９は主に送信素子１１ｂ（指向角１１ｂ’）の音声信号を受信するが、前席シート１を後方へ約２０度倒して図１３（ｂ）の倒れ角度にした場合、音声受信部９は主に送信素子１１ａ（指向角１１ａ’）の音声信号を受信することになる。他方、ヘッドホン１０の位置が低い子供の視聴者５０では、前席シート１が図１４（ａ）に示す倒れ角度の場合、音声受信部９は主に送信素子１１ｂ，１１ｃ（指向角１１ｂ’，１１ｃ’）の音声信号を受信し、前席シート１を後方へ約２０度倒して図１４（ｂ）の倒れ角度にした場合には、音声受信部９は主に送信素子１１ａ（指向角１１ａ’）の音声信号を受信することになる。このように、複数個の送信素子１１ａ〜１１ｃをそれぞれ適切な角度で実装しなければ、ヘッドホン１０の位置およびリクライニングの倒れ角度によっては、十分な音声信号が届かないことがあった。
【０００７】
また、図１２において、本体ユニット２の表面意匠側には、パネルユニット４を収納する凹部２ａがあるため、本体ユニット２の回路基板（図示せず）は凹部２ａの裏側に設けてある。一方、音声送信部８は本体ユニット２の意匠側に設ける必要があるため、本体ユニット２の回路基板とは別に音声送信部８の専用基板１２を設け、リード線１３等で両基板を接続する必要があった。
【０００８】
他方、特許文献２に記載された自動車用視聴覚システムにおいては、赤外線ビームを送信する赤外線ラジエータ（音声送信部８に相当する）を、運転者の肘にあるコンソールボックスまたは自動車の天井に設けられたオーバヘッドコンソールなどに固定している。そのため、例えば座席をスライドする、リクライニングするなどの変化により、座席が妨げとなって、赤外線ラジエータから視聴者の装着しているヘッドホンへ十分な音声信号が届かないことがあった。
【先行技術文献】
【特許文献】
【０００９】
【特許文献１】特開２００７−３３６３２７号公報
【特許文献２】特開２００６−１５９３６号公報
【発明の概要】
【発明が解決しようとする課題】
【００１０】
従来のパネル装置は以上のように構成されているので、視聴者の装着するヘッドホンの位置およびリクライニング可能な座席の倒れ角度によっては、ヘッドホン側で安定した音声信号を受信できないという課題があった。
【００１１】
この発明は、上記のような課題を解決するためになされたもので、視聴者の装着するヘッドホンの位置およびリクライニング可能な座席の倒れ角度によらず、ヘッドホン側で安定した音声信号を受信できるパネル装置を提供することを目的とする。
【課題を解決するための手段】
【００１２】
この発明のパネル装置は、座席の後面に設置された本体ユニットと、本体ユニットに固定されたヒンジ機構と、ヒンジ機構により本体ユニットに対して回動可能に連結され、座席の後方にディスプレイ面を向けるパネルユニットと、パネルユニットのディスプレイ面側に配置され、ディスプレイ面に略垂直な方向へ音声信号を無線送信する音声送信部と、音声送信部の無線送信する音声信号を受信する音声受信部および音声受信部で受信した音声信号に関する信号を無線送信する送信部を有するヘッドホンから、送信部の無線送信する音声信号に関する信号を受信する受信部と、受信部で受信した音声信号に関する信号を可視化する出力部とを備え、出力部により可視化された音声信号に関する信号を視認しながら、パネルユニットを回動可能であるものである。
【発明の効果】
【００１３】
この発明によれば、パネルユニットのディスプレイ面側に音声送信部を配置して、ディスプレイ面に略垂直な方向へ音声信号を送信することにより、本体ユニットが設けられた座席をリクライニングした場合においても、この座席の後ろに搭乗した視聴者がディスプレイを自分の方向に向けることにより音声送信部が常に視聴者の視線正面に向くため、ヘッドホン側で安定した音声信号を受信することができる。
【図面の簡単な説明】
【００１４】
【図１】この発明の実施の形態１に係るパネル装置の構成を示し、パネルユニットが開いて視聴状態となった斜視図である。
【図２】実施の形態１に係るパネル装置が設置された前席シートと後部座席に搭乗している視聴者との位置関係を示す斜視図である。
【図３】実施の形態１に係るパネル装置のパネルユニットの内部構造を示す斜視図である。
【図４】実施の形態１に係るパネル装置の構成を示すブロック図である。
【図５】実施の形態１に係るパネル装置において、視聴者と送信素子の指向角との対応関係を示す図である。
【図６】実施の形態１に係るパネル装置において、大人の視聴者と送信素子の指向角との対応関係を示す図である。
【図７】実施の形態１に係るパネル装置において、子供の視聴者と送信素子の指向角との対応関係を示す図である。
【図８】実施の形態１に係るパネル装置において、パネルユニットの角度と音声信号の受信レベルとの関係を示すグラフである。
【図９】受信レベルを表すアンテナマークの表示例を示す図である。
【図１０】この発明の実施の形態２に係るパネル装置の構成を示すブロック図である。
【図１１】従来の車載データ再生システムが設置された前席シートと後部座席に登場している視聴者との位置関係を示す斜視図である。
【図１２】図１１に示す従来の車載データ再生システムにおいて、パネルユニットが開いて視聴状態となった斜視図である。
【図１３】図１１に示す従来の車載データ再生システムにおいて、大人の視聴者と送信素子の指向角との対応関係を示す図である。
【図１４】図１１に示す従来の車載データ再生システムにおいて、子供の視聴者と送信素子の指向角との対応関係を示す図である。
【発明を実施するための形態】
【００１５】
実施の形態１．
図１は、本実施の形態１に係るパネル装置１００の構成を示し、パネルユニット４が開いて視聴状態となった斜視図である。図２は、パネル装置１００が設置された前席シート１と後部座席に搭乗している視聴者５０との位置関係を示す斜視図である。図３はパネルユニット４の意匠面を取り除き、パネルユニット４の内部構造を説明する斜視図である。図４はパネル装置１００の構成を示すブロック図である。なお、図１〜図４において、先立って説明した図１１〜図１４と同一または相当の部分については同一の符号を付す。
【００１６】
自動車の運転席および助手席など、リクライニング可能な前席シート１の後面にはパネル装置１００が設けられており、このパネル装置１００は、本体ユニット２と、本体ユニット２の上端部に固定された一対のヒンジ機構３と、一対のヒンジ機構３により本体ユニット２に対して回動可能に連結され、本体ユニット２の凹部２ａに収納された状態から回動してディスプレイ７を開いて視聴状態になるパネルユニット４とから構成されている。映像はパネルユニット４のディスプレイ７に表示される一方、音声は、運転者の気を紛らわさないように、後部座席の視聴者５０のために用意されたヘッドホン１０から出力される。
【００１７】
視聴者５０が映像を視聴する場合は、本体ユニット２の下部に設けられたパネルオープンスイッチ５を押し込んでパネルユニット４とラッチ６の係合を解除し、パネルユニット４を自分の見やすい角度まで手動で回動させる。
【００１８】
視聴者５０が手動で回動させることによりパネルユニット４が所定角度以上に回動すると、本体ユニット２に設けられたパネル角度検知スイッチ１４（図４に示す）がパネルユニット４に押されて作動し、角度検知を制御部１５へ通知する。この通知を受けた制御部１５は、映像再生装置２００から出力される映像信号をディスプレイ７に出力し、ディスプレイ７が映像を映し出す。同時に、制御部１５は、映像再生装置２００から出力される音声信号を音声送信部８に出力し、音声送信部８が音声信号を赤外線に変換してヘッドホン１０の音声受信部９へ無線送信する。
【００１９】
この音声送信部８は、図３に示すように、パネルユニット４のディスプレイ７が設けられた面側、かつ、ヒンジ機構３の回転軸線Ａ上近傍の回路基板１６上に実装された送信素子１１を備える。この送信素子１１は、本体ユニット２の制御部１５から入力された音声信号を赤外線に変換し、ディスプレイ７の面に略垂直な方向を中心とする所定の指向角の範囲へ赤外線を送信する。この赤外線は、ヘッドホン１０に設けられた音声受信部９により受信されてＤ／Ａ変換され、アンプ１７で増幅されてスピーカ１８から出力される。
【００２０】
音声送信部８を、パネルユニット４の回路基板１６上に設けたので、従来のように音声送信部８の専用基板を用意する必要がなくなり、部品点数を少なくでき、組み立て性が向上する。
【００２１】
ここで、図５に、視聴者５０と送信素子１１の指向角１１’との対応関係を示す。パネルユニット４が収納位置から角度θまで回動し、本体ユニット２のパネル角度検知スイッチ１４（不図示）がＯＮ状態になると、音声送信部８から赤外線の音声信号が送信される。
音声送信部８の送信素子１１はパネルユニット４と一体的に回動し、かつ、ディスプレイ７の面に略垂直な方向へ音声信号を送信するので、送信素子１１の指向角１１’は常にディスプレイ７の正面方向に向き、ディスプレイ７の正面方向へ音声信号が送信される。
【００２２】
図６は大人の視聴者５０と送信素子１１の指向角１１’との対応関係を示し、図７は子供の視聴者５０と送信素子１１の指向角１１’との対応関係を示す。このパネル装置１００においてはディスプレイ７の正面方向へ音声信号が送信されるので、視聴者５０が自分の見やすい角度にパネルユニット４を回動させ、ディスプレイ７を自分の視線正面に向ければ、パネルユニット４と一体的に音声送信部８の送信素子１１も回動して視聴者５０の正面に向き、赤外線が視聴者５０に向かって送信されることになる。よって、図６（ａ）に示すようなヘッドホン１０の位置が高い大人の視聴者５０でも、図７（ａ）に示すようなヘッドホン１０の位置が低い子供の視聴者５０でも、音声受信部９が送信素子１１の指向角１１’の範囲内に位置し、安定した音声信号を受信することができる。
【００２３】
また、図６（ｂ）および図７（ｂ）に示すように前席シート１を後方へ倒した（リクライニングした）場合においても、視聴者５０は再び手動で映像が見やすい角度にパネルユニット４を回動させ、ディスプレイ７を自分の視線正面に向けるので、赤外線も視聴者５０の顔方向に向かって送信されることになる。よって、音声受信部９が安定した音声信号を受信することができる。
【００２４】
このように、本実施の形態１では、パネルユニット４のディスプレイ７が設けられた面上に音声送信部８を配置するようにしたので、従来のように送信素子１１を複数個、角度を違えて設置する必要性がなく、組み立て性を向上することができる。
【００２５】
また、車両等の振動を受けてパネルユニット４の共振により揺れた場合でも、回転軸線Ａ上近傍は共振の影響が少ない。そのため、音声送信部８をこの回転軸線Ａ上近傍に配置することにより、送信素子１１の指向角１１’のぶれを少なくできる。よって、音声受信部９が安定した音声信号を受信することができる。
【００２６】
次に、安定した音声信号受信のために、視聴者５０がディスプレイ７の位置を適正な角度に調整する方法を説明する。
本実施の形態１に係るパネル装置１００において、ヘッドホン１０には、音声信号の受信レベルの強弱を判断するレベル判断部１９と、レベル判断部１９が判断したレベルをレベル信号としてパネルユニット４に送信するレベル送信部２０とを設ける。他方のパネルユニット４には、ヘッドホン１０のレベル送信部２０が送信するレベル信号を受信するレベル受信部２１と、レベル受信部２１が受信したレベル信号を視聴者５０に通知するレベル出力部２２とを設ける。レベル送信部２０とレベル受信部２１の間の通信は任意方式の無線で行う。
【００２７】
図８の例では、レベル判断部１９に予め、音声信号の受信レベルの強弱とレベル信号（例えばレベル０〜３の４段階）の対応関係が設定されている。また、図１の例ではレベル出力部２２として、４個のＬＥＤ（発光ダイオード）を使用する。
【００２８】
図８（ａ）は、パネルユニット４の角度と音声受信部９で受信する音声信号の受信レベルとの関係を示すグラフであり、縦軸は受信レベル、横軸はパネル角度検知スイッチ１４がＯＮ状態になる位置を基準にしたパネルユニット４の角度である。図８（ｂ）は、パネルユニット４の角度とレベル判断部１９で判断したレベル信号との関係を示すグラフであり、縦軸は受信レベルを０〜３の４段階で判断したレベル信号、横軸はパネル角度検知スイッチ１４がＯＮ状態になる位置を基準にしたパネルユニット４の角度である。
【００２９】
視聴者５０がパネルユニット４を回動させると、図５に示したようにパネルユニット４の回動と一体的に送信素子１１の指向角１１’が移動していき、ディスプレイ７が視聴者５０の視線正面に向く角度θのときに受信レベルが最強になる。このときの角度θをセンター角度（図８）と称す。よって、音声受信部９がパネルユニット４と一体に回動する送信素子１１の指向角１１’に入っている場合にレベル判断部１９において高いレベルが判定され、指向角１１’から外れている場合に低いレベルが判定される。レベル０〜３の４段階で受信レベルの強弱を判断する場合、レベル３が最も受信レベルが強く、安定して音声信号を受信できていることを表す。反対にレベル０が最も受信レベルが低く、安定して音声信号を受信できていない、即ち、ヘッドホン１０に対してパネルユニット４の角度が適切でないことを表す。
【００３０】
ヘッドホン１０において、レベル判断部１９が、音声受信部９で受信した音声信号の受信レベルの強弱を４段階で判断し、レベル信号としてレベル送信部２０へ出力する。レベル送信部２０はこのレベル信号をパネルユニット４のレベル受信部２１へ送信する。
パネルユニット４において、レベル受信部２１がレベル信号を受信する。レベル出力部２２は、レベル受信部２１で受信したレベル信号がレベル３なら４個のＬＥＤを全て点灯させ、レベル０なら１個のＬＥＤのみ点灯させる。このように、ヘッドホン１０における音声信号の受信状態が良好ならレベル出力部２２の点灯量を多くし、受信状態が不良ならレベル出力部２２の点灯量を少なくして、視聴者５０が視覚的にパネルユニット４の角度が適正か否か判断できるようにする。これにより、視聴者５０は、パネルユニット４を適正な角度に調整することができる。
【００３１】
なお、図１の例ではレベル出力部２２として複数個のＬＥＤを用い、レベル毎に点灯量を変えたが、これに限定されるものではない。例えば、レベル出力部２２として１つの表示灯を用いて、適正角度になると表示灯の点灯色が赤から青に変化するなどの構成にしてもよい。
また例えば、ディスプレイ７に受信レベルを表示する構成にしてもよい。この構成の場合には、レベル受信部２１からパネルユニット４の制御部１５へレベル信号を出力し、制御部１５がパネルユニット４のディスプレイ７にレベルが分かるマークを表示させる。レベルが分かるマークとしては、図９に示すアンテナマーク２３等が考えられる。
【００３２】
以上より、実施の形態１によれば、パネル装置１００は、リクライニング可能な前席シート１の後面に設置された本体ユニット２と、本体ユニット２に固定されたヒンジ機構３と、ヒンジ機構３により本体ユニット２に対して回動可能に連結され、本体ユニット２側にディスプレイ７の面を向けて収納された状態から回動してディスプレイ７を開くパネルユニット４と、パネルユニット４のディスプレイ７面側に配置され、ディスプレイ７面に略垂直な方向へ音声信号を無線送信する音声送信部８とを備えるように構成した。そのため、本体ユニット２が設けられた前席シート１をリクライニングした場合においても、この前席シート１の後に搭乗した視聴者５０がディスプレイ７を自分の方向に向けることにより、音声送信部８が常に視聴者５０の視線正面に向くため、ヘッドホン１０側で安定した音声信号を受信することができる。
【００３３】
また、実施の形態１によれば、音声送信部８を、パネルユニット４のディスプレイ７面側、かつ、ヒンジ機構３の回転軸線Ａ上近傍に配置する構成にした。そのため、前席シート１が振動してパネルユニット４が揺れた場合においても、音声送信部８の送信方向に及ぼす振動の影響が少なくてすむ。よって、ヘッドホン１０側で安定した音声信号を受信することができる。
【００３４】
また、実施の形態１によれば、音声送信部８の回路基板を、パネルユニット４の回路基板１６に一体化する構成にした。そのため、部品点数を少なくでき、組み立て性が向上する。
以上の構成では、パネル装置１００においてヘッドホン１０は必ずしも必要でない。
【００３５】
また、実施の形態１によれば、パネル装置１００はヘッドホン１０を備え、このヘッドホン１０は、音声送信部８の無線送信する音声信号を受信する音声受信部９と、音声受信部９で受信した音声信号の受信レベルを判断するレベル判断部１９と、レベル判断部１９で判断した受信レベルを無線送信するレベル送信部２０とを有し、パネルユニット４は、レベル送信部２０の無線送信する受信レベルを受信するレベル受信部２１と、レベル受信部２１で受信した受信レベルを可視化するレベル出力部２２とを有するように構成した。このため、パネルユニット４が適正な角度でなく、ヘッドホン１０において音声信号の受信レベルが弱い場合、レベル出力部２２により視聴者５０は視覚的にパネルユニット４が適正角度でないことが分かる。よって、視聴者５０は適正な角度にパネルユニット４を回動させ、ディスプレイ７の位置を調整することができる。その結果、ヘッドホン１０側で安定した音声信号を受信することができる。
なお、上記説明では、音声信号の受信レベルを、ヘッドホン１０とパネルユニット４との間で無線により送受信する構成を例示したが、受信レベルに限らず、音声信号に関する信号を送受信する構成であっても構わない。
【００３６】
実施の形態２．
上記実施の形態１では、視聴者５０が手動でパネルユニット４を回動させて最適な角度に調整する構成にしたが、本実施の形態２ではパネル装置１００が自動的にパネルユニット４を最適な角度に調整する構成とする。
図１０は、本発明の実施の形態２に係るパネル装置１００の構成を示すブロック図である。なお、図１０において図４と同一または相当の部分については同一の符号を付し説明を省略する。また、本実施の形態２に係るパネル装置１００の外観は、図１および図２に示したパネル装置１００と同様のため、図示を省略する。
【００３７】
本実施の形態２に係るパネル装置１００は、パネルユニット４を電動で開閉する電動開閉機構３１と、この電動開閉機構３１を制御する開閉制御部３２とを備える。また、本体ユニット２の制御部１５は、パネルユニット４のレベル受信部２１からレベル信号を受け付け、このレベル信号に基づいてパネルユニット４の角度を決定し、開閉制御部３２へ指示を出す。
【００３８】
視聴者５０が映像を視聴する場合、本体ユニット２の下部に設けられたパネルオープンスイッチ５を視聴者５０が押す。制御部１５は、パネルオープンスイッチ５が押されたことを検知して開閉制御部３２に指示を出し、開閉制御部３２が電動開閉機構３１を駆動してパネルユニット４を開方向に回動させる。
【００３９】
電動開閉機構３１が電動で回動させることによりパネルユニット４が所定角度以上に回動すると、本体ユニット２に設けられたパネル角度検知スイッチ１４がパネルユニット４に押されて作動し、角度検知を制御部１５へ通知する。この通知を受けた制御部１５は、映像再生装置２００から出力される映像信号をディスプレイ７に出力し、ディスプレイ７が映像を映し出す。同時に、制御部１５は、映像再生装置２００から出力される音声信号を音声送信部８に出力し、音声送信部８が音声信号を赤外線に変換してヘッドホン１０の音声受信部９へ無線送信する。
【００４０】
次に、図８を参照して、パネルユニット４の角度調整を自動的に行う方法を説明する。
パネルユニット４のレベル受信部２１は、ヘッドホン１０のレベル送信部２０から受信したレベル信号（例えば、図８に示したレベル０〜３の４段階）を制御部１５へ出力し、制御部１５は開閉制御部３２を介して電動開閉機構３１を駆動させ、パネルユニット４の角度を、レベル信号が最高状態のレベル３になる角度θ（最適角度）に調整する。
具体的には、制御部１５は、レベル信号のレベルが最高状態のレベル３からレベル２へ一段下がるまで、パネルユニット４を開方向に回動させる制御を行う。続いて、制御部１５はレベル２からレベル３へ一段上がったときの角度θと、レベル３からレベル２へ一段下がったときの角度θからセンター角度を求め、求めたセンター角度になるまでパネルユニット４を戻すように、開閉制御部３２を介して電動開閉機構３１を駆動させる。
【００４１】
これにより、ディスプレイ７の正面とヘッドホン１０（視聴者５０の頭部位置）は常に最適な角度に自動的に合わせることができ、また、前席シート１がリクライニングされても自動的にパネルユニット４を最適な角度に調整するため、手動によるわずらわしい角度調整が不要となる。
【００４２】
以上より、実施の形態２によれば、パネル装置１００は、パネルユニット４を電動で開閉させる電動開閉機構３１と、電動開閉機構３１を駆動する開閉制御部３２と、開閉制御部３２を介して電動開閉機構３１を駆動させ、パネルユニット４の角度を、レベル受信部２１で受信する受信レベルが所定レベルになる角度に調整する制御部１５とを備えるように構成した。このため、ヘッドホン１０側から送信されるレベル信号に基づいて、自動でパネルユニット４を最適な角度に回動することができるようになり、ディスプレイ７の正面とヘッドホン１０（即ち、視聴者５０の頭部の位置）とは常に最適な角度に合わせることができる。その結果、ヘッドホン１０側で安定した音声信号を受信することができる。
【００４３】
なお、上記実施の形態１，２では、パネルユニット４が本体ユニット２側にディスプレイ７を向けて収納された状態から回動してディスプレイ７を開き、前席シート１の後方にディスプレイ７を向けるように構成したが、これに限定されるものではなく、例えばディスプレイ７が前席シート１の後方を向いた状態のパネルユニット４が、本体ユニット２に対して回動可能に連結された構成であってもよい。この構成の場合にも、パネルユニット４の角度を調整して、ディスプレイ７を視聴者５０の視線正面に向けることにより、ヘッドホン１０側で安定した音声信号を受信することができる。
【００４４】
また、上記説明ではディスプレイ７に略垂直な方向へ音声信号を無線送信する音声送信部８を構成したが、ディスプレイ７が視聴者５０の正面位置にあるときに音声送信部８からの音声信号が最適な方向に送信できる位置関係とすることが望ましく、音声送信部８を配置したヒンジ機構３（またはパネルユニット４上の任意位置に配置した音声送信部８）がディスプレイ７よりも下にある場合は、音声信号を多少の上向きに送信してもよい。
【００４５】
上記以外にも、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００４６】
１  前席シート、２  本体ユニット、２ａ  凹部、３  ヒンジ機構、４  パネルユニット、５  パネルオープンスイッチ、６  ラッチ、７  ディスプレイ、８  音声送信部、９  音声受信部、１０  ヘッドホン、１１，１１ａ〜１１ｃ  送信素子、１１’，１１ａ’〜１１ｃ’  指向角、１２  専用基板、１３  リード線、１４  パネル角度検知スイッチ、１５  制御部、１６  回路基板、１７  アンプ、１８  スピーカ、１９  レベル判断部、２０  レベル送信部（送信部）、２１  レベル受信部（受信部）、２２  レベル出力部（出力部）、２３  アンテナマーク、３１  電動開閉機構、３２  開閉制御部、５０  視聴者、１００  パネル装置、２００  映像再生装置。
【手続補正２】
【補正対象書類名】特許請求の範囲
【補正対象項目名】全文
【補正方法】変更
【補正の内容】
【特許請求の範囲】
【請求項１】
リクライニング可能な座席の後面側から当該座席後方の視聴者に向けて音声信号を無線送信するパネル装置であって、
前記座席の後面に設置された本体ユニットと、
前記本体ユニットに固定されたヒンジ機構と、
前記ヒンジ機構により前記本体ユニットに対して回動可能に連結され、前記座席の後方にディスプレイ面を向けるパネルユニットと、
前記パネルユニットの前記ディスプレイ面側に配置され、前記ディスプレイ面に略垂直な方向へ音声信号を無線送信する音声送信部と、
前記音声送信部の無線送信する音声信号を受信する音声受信部および前記音声受信部で受信した音声信号に関する信号を無線送信する送信部を有するヘッドホンから、前記送信部の無線送信する音声信号に関する信号を受信する受信部と、
前記受信部で受信した音声信号に関する信号を可視化する出力部とを備え、
前記出力部により可視化された前記音声信号に関する信号を視認しながら、前記パネルユニットを回動可能であることを特徴とするパネル装置。
【請求項２】
前記音声送信部は、前記パネルユニットの前記ディスプレイ面側、かつ、前記ヒンジ機構の回転軸線上に配置されたことを特徴とする請求項１記載のパネル装置。
【請求項３】
前記音声送信部の回路基板は、前記パネルユニットの回路基板に一体化されたことを特徴とする請求項１記載のパネル装置。
【請求項４】
前記パネルユニットを電動で開閉させる電動開閉機構と、
前記電動開閉機構を駆動する開閉制御部と、
前記開閉制御部を介して前記電動開閉機構を駆動させ、前記パネルユニットの角度を、前記受信部で受信する音声信号に関する信号が所定レベルになる角度に調整する制御部とを備えたことを特徴とする請求項１記載のパネル装置。
【手続補正書】
【提出日】平成27年7月1日(2015.7.1)
【手続補正１】
【補正対象書類名】明細書
【補正対象項目名】００１２
【補正方法】変更
【補正の内容】
【００１２】
この発明のパネル装置は、座席の後面に設置された本体ユニットと、本体ユニットに固定されたヒンジ機構と、ヒンジ機構により本体ユニットに対して回動可能に連結され、座席の後方にディスプレイ面を向けるパネルユニットと、パネルユニットのディスプレイ面側、かつ、ヒンジ機構の回転軸線上に配置され、ディスプレイ面に略垂直な方向へ音声信号を無線送信する音声送信部と、音声送信部より無線送信される音声信号を受信するヘッドホンから送信される、音声信号に関する信号を受信する受信部と、受信部で受信した音声信号に関する信号を可視化する出力部とを備えるものである。
【手続補正２】
【補正対象書類名】特許請求の範囲
【補正対象項目名】全文
【補正方法】変更
【補正の内容】
【特許請求の範囲】
【請求項１】
リクライニング可能な座席の後面側から当該座席後方の視聴者に向けて音声信号を無線送信するパネル装置であって、
前記座席の後面に設置された本体ユニットと、
前記本体ユニットに固定されたヒンジ機構と、
前記ヒンジ機構により前記本体ユニットに対して回動可能に連結され、前記座席の後方にディスプレイ面を向けるパネルユニットと、
前記パネルユニットの前記ディスプレイ面側、かつ、前記ヒンジ機構の回転軸線上に配置され、前記ディスプレイ面に略垂直な方向へ音声信号を無線送信する音声送信部と、
前記音声送信部より無線送信される前記音声信号を受信するヘッドホンから送信される、前記音声信号に関する信号を受信する受信部と、
前記受信部で受信した前記音声信号に関する信号を可視化する出力部とを備えるパネル装置。
【請求項２】
前記音声送信部の回路基板は、前記パネルユニットの回路基板に一体化されたことを特徴とする請求項１記載のパネル装置。
【請求項３】
前記パネルユニットを電動で開閉させる電動開閉機構と、
前記電動開閉機構を駆動する開閉制御部と、
前記開閉制御部を介して前記電動開閉機構を駆動させ、前記パネルユニットの角度を、前記受信部で受信する音声信号に関する信号が所定レベルになる角度に調整する制御部とを備えたことを特徴とする請求項１記載のパネル装置。
【国際調査報告】
2014027404.tif 000017
2014027404.tif 000018
2014027404.tif 000019